(57)【要約】【課題】段ボール等のシート材の折り曲げにより、組み立てが容易で、パネルを多様に支持して連結できるパネルスタンドを提供する。【解決手段】底板２の両側に巻込部３を連設し、巻込部３には、底板２から側板４、立板５及び底重板６を順次設け、側板４及び立板７にその連設方向へ延びる差込スリット７を入れ、巻込部３の立板５と底重板６の稜部及び底板２のうち、一方に係合突起８を設け、他方に係合穴９を穿設し、底板２から両側の巻込部３を巻き込むように折り曲げて、立板５同士を対向させると共に、底重板６を底板２に重ね、係合突起８を係合穴９に係合させて、立板５同士の間隔を保持した状態で、底板２と底重板６とを固定し、対向する立板５の間と差込スリット７とが平面視十字状をなすようにして、これらにパネル３０を折り曲げて差し込めるようにする。【選択図】図２
0003189095.tif 000002
【実用新案登録請求の範囲】
【請求項１】
底板(2)の両側に巻込部(3)を連設し、巻込部(3)には、底板(2)から側板(4)、立板(5)及び底重板(6)を順次設け、側板(4)及び立板(5)にその連設方向へ延びる差込スリット(7)を入れ、巻込部(3)の立板(5)と底重板(6)の稜部及び底板(2)のうち、一方に係合突起(8)を設け、他方に係合穴(9)を穿設し、底板(2)から両側の巻込部(3)を巻き込むように折り曲げて、立板(5)同士を対向させると共に、底重板(6)を底板(2)に重ね、係合突起(8)を係合穴(9)に係合させて、立板(5)同士の間隔を保持した状態で、底板(2)と底重板(6)とを固定し、対向する立板(5)の間と差込スリット(7)とが平面視十字状をなすようにして、これらにパネル(30)を折り曲げて差し込めるようにしたパネルスタンド(1A,1B)。
【請求項２】
前記底板(2)、側板(4)及び立板(5)を連設方向に交差する方向に延長して、その延長方向に複数の巻込部(3)を設けた請求項１に記載のパネルスタンド(1B)。
【考案の詳細な説明】
【技術分野】
【０００１】
この考案は、展示パネルや間仕切り等のパネルを支持するパネルスタンドであって、段ボール等のシート材を材料とするものに関する。
【背景技術】
【０００２】
従来、下記特許文献１において、段ボールを利用した間仕切りが提案されている。この間仕切りは、図１０に示すように、隣り合うパネル５１を、下部に嵌合するパネルスタンド５２で支持すると共に、このパネルスタンド５２及び上部に嵌合するジョイント５３で繋ぎ、図１１に示すように、パネル５１が交わるコーナー接続部では、短い角筒状のコーナー材５４を上下から嵌め込んで、パネル５１同士を繋ぐものとされている。
【０００３】
パネルスタンド５２は、ブランク状態において、図１２（ａ）に示すように、底板５５の両側に底重板５６及び立板５７を順次連設し、立板５７の両端に端板５８を連設した構成とされている。底板５５の端部には台形状の固定片５５ａが切込により設けられ、底重板５６の端部には台形状の固定凹所５６ａが形成されている。
【０００４】
また、立板５７には、底重板５６へのコ字状の切込により係合突起５７ａが設けられ、底板５５には、中間部に底重板５６との境界に平行な方向へ延びる係合穴５９ａが形成されている。端板５８の先端部には、係合突起５８ａが設けられ、底板５５及び底重板５６には、その境界の折目線に直交する方向へ延びる係合穴５９ｂが形成されている。
【０００５】
このパネルスタンド５２の組み立てに際しては、図１２（ｂ）に示すように、底板５５から両側の底重板５６を上方へ折り曲げ、対向した立板５７から端板５８を外側へ離反するように折り曲げる。
【０００６】
次いで、図１２（ｃ）に示すように、底板５５の上面に底重板５６を重ね、係合突起５７ａを係合穴５９ａに係合させると共に、係合突起５８ａを係合穴５９ｂに係合させ、固定片５５ａを上方へ折り曲げて固定凹所５６ａに押し込むことにより、底板５５と底重板５６とを固定する。
【０００７】
このように組み立てたパネルスタンド５２を使用して、図１０に示すように、パネル５１を支持及び連結する際には、対向する立板５７の間にパネル５１の下部を差し込んで、パネル５１の転倒を防止する。
【先行技術文献】
【特許文献】
【０００８】
【特許文献１】特許第３５８５８８０号公報
【考案の概要】
【考案が解決しようとする課題】
【０００９】
しかしながら、上記のようなパネルスタンド５２は、構造が複雑で組み立てに手間がかかるほか、パネル５１の上部の連結には不向きであり、また、支持及び連結するパネル５１の向きが限定されるため、間仕切り等の組み立てに際し、ジョイント５３やコーナー材５４を別途要するという問題がある。
【００１０】
そこで、この考案は、段ボール等のシート材の折り曲げにより、組み立てが容易で、パネルを多様に支持して連結できるパネルスタンドを提供することを課題とする。
【課題を解決するための手段】
【００１１】
上記課題を解決するため、この考案は、パネルを支持するパネルスタンドにおいて、底板の両側に巻込部を連設し、巻込部には、底板から側板、立板及び底重板を順次設け、側板及び立板にその連設方向へ延びる差込スリットを入れ、巻込部の立板と底重板の稜部及び底板のうち、一方に係合突起を設け、他方に係合穴を穿設し、底板から両側の巻込部を巻き込むように折り曲げて、立板同士を対向させると共に、底重板を底板に重ね、係合突起を係合穴に係合させて、立板同士の間隔を保持した状態で、底板と底重板とを固定し、対向する立板の間と差込スリットとが平面視十字状をなすようにして、これらにパネルを折り曲げて差し込めるようにしたのである。
【００１２】
また、ボックス構造等を簡単に構成できるように、前記底板、側板及び立板を連設方向に交差する方向に延長して、その延長方向に複数の巻込部を設けたのである。
【考案の効果】
【００１３】
この考案に係るパネルスタンドは、底板から巻込部を巻き込むことにより、容易に組み立てることができ、係合突起と係合穴との係合により、対向する立板の間隔が確保され、対向する立板の間及び差込スリットにパネルを折り曲げて差し込むことにより、パネルを上下で多方向に連結し、安定した状態で支持することができる。
【図面の簡単な説明】
【００１４】
【図１】この考案の第１実施形態に係るパネルスタンドによる展示パネルの構成を示す斜視図
【図２】同上のパネルスタンドによるパネルの一方向連結状態を示す斜視図
【図３】図２のIII−III線に沿った断面図
【図４】図２のIV−IV線に沿った断面図
【図５】同上のパネルスタンドによるパネルの直交方向連結状態を示す斜視図
【図６】同上のパネルスタンドのブランクを示す図
【図７】この考案の第２実施形態に係るパネルスタンドによる簡易更衣室の構成を示す斜視図
【図８】同上のパネルスタンドによるパネルの直交方向連結状態を示す斜視図
【図９】同上のパネルスタンドのブランクを示す図
【図１０】従来のパネルスタンドによる間仕切りの構成を示す斜視図
【図１１】同上の間仕切りのコーナー材によるパネルの直交方向の連結を示す斜視図
【図１２】同上のパネルスタンドの（ａ）ブランク、（ｂ）組立過程、（ｃ）組立状態をそれぞれ示す斜視図
【考案を実施するための形態】
【００１５】
以下、この考案の実施形態を添付図面に基づいて説明する。
【００１６】
図１は、絵画、写真等の展示用として、第１実施形態に係るパネルスタンド１Ａによりパネル３０を支持した展示パネルを示す。この展示パネルでは、２枚のパネル３０が一方向に並べて連結されている。パネルスタンド１Ａ及びパネル３０の材料には、取扱性や火災発生時の安全性を考慮して、防炎段ボールが使用されている。
【００１７】
パネル３０は、主面部３１とその両側の折曲片部３２とを、半切り又は押罫による縦方向の折目線を境界として形成したものとされ、主面部３１と折曲片部３２とは、縦方向の折目線に沿ってコ字状に折り曲げられている。
【００１８】
パネルスタンド１Ａは、図６に示すブランクから形成される。このブランクでは、底板２の両側に巻込部３が連設され、巻込部３には、底板２側から順次連なる側板４、立板５及び底重板６が設けられている。
【００１９】
側板４及び立板５には、パネル３０を差し込むため、その連設方向へ延びる差込スリット７が底板２から底重板６へかけて入れられている。対向する巻込部３において、差込スリット７は、対称となる位置に設けられている。差込スリット７の幅は、基本的にパネル３０の厚さと略同一に設定され、側板４と立板５の境界部では、パネル３０の差し込みを容易にするため、稜線へ向けてテーパー状に広くなっている。
【００２０】
立板５の下端となる底重板６との境界部には、差込スリット７の両側方に、底重板６へのコ字状の切込により係合突起８が設けられている。底板２には、係合突起８を係合させるため、巻込部３の連設方向に間隔をあけて対をなす係合穴９が穿設されている。対をなす係合穴９の間隔は、パネル３０の厚さよりも若干大きく設定されている。
【００２１】
また、底板２には、頭部が両側へ張り出したＴ字状の固定片１０が対向する巻込部３の方向へ向かって切込により設けられ、底重板６には、固定片１０を押し込むため、固定穴１１が形成されている。
【００２２】
また、一方の巻込部３の底重板６には、立板５へのコ字状の切込により抑止片１２が設けられ、他方の巻込部３の立板５と底重板６の境界部には、抑止片１２の先端部が係合する抑止穴１３が形成されている。
【００２３】
上記のようなブランクからパネルスタンド１Ａを組み立てるには、図２〜図４に示すように、底板２から両側の巻込部３を三角筒状に巻き込むように折り曲げて、立板５同士を対向させると共に、底重板６を底板２の上面に重ね、係合突起８を係合穴９に係合させた状態で、固定片１０を固定穴１１に押し込み、底板２と底重板６とを固定する。このように組み立てると、対向する立板５の間と差込スリット７とが平面視十字状をなす。
【００２４】
この状態で、巻込部３の巻き込みが反発で戻ろうとしても、抑止片１２の先端部が抑止穴１３に係合して、巻込部３の巻込状態が維持されるので、展示パネル等の設置作業に支障を来すことがない。
【００２５】
そして、図１に示すような展示パネルを組み立てるには、隣り合わせたパネル３０を折曲片部３２が互いに反対側へ延びる方向へ向け、パネル３０の連結部の下方及び上方にパネルスタンド１Ａを向き合わせて、差込スリット７が境界となるように、各パネル３０の主面部３１を対向する立板５の間に差し込み、折曲片部３２をそれぞれ対向する巻込部３の差込スリット７に差し込む。
【００２６】
そして、パネル３０の差込が完了すると、抑止片１２がパネル３０で押さえられ、係合突起８と係合穴９との係合により、立板５の揺動が防止されて、巻込部３の形状が確実に維持された状態で、パネル３０同士が連結される。
【００２７】
また、図５に示すように、このパネルスタンド１Ａでは、主面部３１が直角をなすようにパネル３０同士を連結して、部屋のコーナー部に沿った展示パネル等を組み立てることもできる。
【００２８】
この連結に際しては、差込スリット７を境界とし、一方のパネル３０は、主面部３１を対向する立板５の間に差し込むと共に、折曲片部３２を対向する一方の巻込部３の差込スリット７に差し込む。また、他方のパネル３０は、主面部３１を対向する他方の巻込部３の差込スリット７に差し込むと共に、折曲片部３２を対向する立板５の間に差し込む。
【００２９】
このように、上記パネルスタンド１Ａは、底板２から巻込部３を巻き込むことにより、容易に組み立てることができ、パネル３０を折り曲げ、対向する立板５の間及び差込スリット７にパネル３０の主面部３１及び折曲片部３２のいずれかをそれぞれ差し込むことにより、パネル３０を安定した状態で支持しつつ、一方向又は直角方向に連結し、これらの連結を組み合わせて、多様な構造物を組み立てることができる。
【００３０】
また、パネル３０の下部及び上部での連結に兼用できるほか、パネル３０の主面部３１が直角をなすように連結することもできるので、多種類の連結部材を準備する必要がなくなり、製造や保管の合理化を図ることができる。
【００３１】
なお、パネル３０の主面部３１と折曲片部３２の境界となる縦方向の折目線は、別途木型を製作することなく、段ボールの製造段階で入れることができるので、パネル３０の加工にコストを要することはない。
【００３２】
次に、この考案の第２実施形態として、図７に示すような簡易更衣室の構成に使用するパネルスタンド１Ｂを示す。なお、ここでは、上記第１実施形態と共通の機能を有する部分に同一の符号を付して、その説明を省略する。
【００３３】
このパネルスタンド１Ｂは、図８及び図９に組立状態及びブランク状態でそれぞれ示すように、底板２、側板４及び立板５を連設方向に交差する方向に延長して、その延長方向の両端部にそれぞれ巻込部３を設け、その稜部に折曲抵抗を軽減する緩和スロット１４を形成したものとされている。対向する立板５の間隔は、パネル３０を２枚重ねて挟み込める大きさとされている。
【００３４】
上記のようなパネルスタンド１Ｂを使用して簡易更衣室を組み立てる際には、対向する立板５の間に簡易更衣室の後壁をなすパネル３０の主面部３１を差し込むと共に、両端の巻込部３の差込スリット７にパネル３０の両端の折曲片部３２をそれぞれ差し込む。
【００３５】
次に、上述のパネル３０の主面部３１に対して、簡易更衣室の両側壁をなすパネル３０の主面部３１が直角をなすように、これらのパネル３０の主面部３１と折曲片部３２とを重ねて、対向する立板５の間に差し込むと、図７に示すように、前面が開口したボックス状の簡易更衣室を構成することができる。
【００３６】
このような簡易更衣室の前面開口部には、前側上部のパネルスタンド１Ｂから垂らすように、カーテン３３を取り付けるとよい。
【００３７】
上記パネルスタンド１Ｂもまた、底板２から巻込部３を巻き込むことにより、容易に組み立てることができ、底板２、側板４及び立板５を延長し、その両端に巻込部３を設けているので、対向する立板５の間及びその延長方向に離間した巻込部３の差込スリット７にパネル３０を差し込むことにより、簡易更衣室のようなボックス状の構造物等を簡単に組み立てることができる。
【００３８】
また、底板２、側板４及び立板５をさらに延長し、その延長方向に多数の巻込部３を設けることにより、展示会場等の設営において、ブースが連続した間仕切り等を組み立てることもできる。
【００３９】
なお、上記各実施形態においては、係合突起８を巻込部３の立板５と底重板６の稜部に設け、係合穴９を底板２に穿設したものを例示したが、係合突起８は、底板２を切り起こして設け、係合穴９は、底重板６から立板５にかけて穿設したものとしてもよい。
【００４０】
また、パネルスタンド１Ａ，１Ｂの巻込部３が三角筒状をなすものを例示したが、巻込部３は、側板４に横方向の折目線を入れて、側板４を屈曲させることにより、四角筒や六角筒等の多角筒状とすることもできる。
【００４１】
また、段ボールを材料とするものを例示したが、パネルの大きさや設置場所等の用途に応じて、合紙やプラスチックシートを材料として使用することもできる。
【００４２】
そのほか、パネルスタンド１Ａ，１Ｂの使用態様として、パネル３０を支持及び連結する場合を例示したが、パネルスタンド１Ａ，１Ｂは、１枚のパネル３０を支持するためだけに使用することもできる。
【符号の説明】
【００４３】
１Ａ，１Ｂ  パネルスタンド
２  底板
３  巻込部
４  側板
５  立板
６  底重板
７  差込スリット
８  係合突起
９  係合穴
１０  固定片
１１  固定穴
１２  抑止片
１３  抑止穴
１４  緩和スロット
３０  パネル
３１  主面部
３２  折曲片部
３３  カーテン
【図１】
0003189095.tif 000003
【図２】
0003189095.tif 000004
【図３】
0003189095.tif 000005
【図４】
0003189095.tif 000006
【図５】
0003189095.tif 000007
【図６】
0003189095.tif 000008
【図７】
0003189095.tif 000009
【図８】
0003189095.tif 000010
【図９】
0003189095.tif 000011
【図１０】
0003189095.tif 000012
【図１１】
0003189095.tif 000013
【図１２】
0003189095.tif 000014